(57)【要約】【課題】介護者が迅速な対応を行っているか否かを正確に把握する。【解決手段】介護施設の居室に居住している被介護者の離床状態を検出する離床センサー２１、および離床センサー２１による検出内容を報知する報知処理を実行する処理部２６を有して居室内に配置された離床センサーユニット１２と、離床センサーユニット１２によって報知された検出内容を記録すると共に検出内容に対応する措置の実行を介護者に指示する管理装置とを備え、離床センサーユニット１２は、識別体に記録されている識別情報Ｉｄを読み取るカードリーダー２５を備え、処理部２６は、報知処理の実行状態においてカードリーダー２５によって識別情報Ｉｄが読み取られたときに識別情報Ｉｄと識別情報が読み取られた時刻を示す時刻情報とを管理装置に送信し、管理装置は、識別情報Ｉｄおよび時刻情報を検出内容に関連付けて記録する。【選択図】図３
2014119844.tif 000002
【特許請求の範囲】
【請求項１】
介護施設の居室に居住している被介護者の姿勢の変化、当該被介護者による呼び出し、および当該居室の状態変化の少なくとも１つを検出する検出部、並びに当該検出部による検出内容を報知する報知処理を実行する処理部を有して当該居室内に配置された報知ユニットと、当該報知ユニットによって報知された前記検出内容を記録すると共に当該検出内容に対応する措置の実行を介護者に指示する管理装置とを備えた介護システムであって、
前記報知ユニットは、前記介護者を識別可能な識別情報が記録された識別体における当該識別情報を読み取る読取り部を備え、
前記処理部は、前記報知処理の実行状態において前記読取り部によって前記識別情報が読み取られたときに当該識別情報と当該識別情報が読み取られた時刻を示す時刻情報とを前記管理装置に送信し、
前記管理装置は、前記識別情報および前記時刻情報を前記検出内容に関連付けて記録する介護システム。
【請求項２】
前記処理部は、前記報知処理の実行状態において前記読取り部によって前記識別情報が読み取られたときに当該報知処理を停止する請求項１記載の介護システム。
【請求項３】
前記読取り部は前記識別体が近接したときに前記識別情報を非接触で読み取り可能に構成されている請求項１または２記載の介護システム。
【発明の詳細な説明】
【技術分野】
【０００１】
本発明は、介護施設の居室に居住している被介護者の姿勢の変化等を検出してその検出内容を報知する報知ユニットと、報知された検出内容を記録して検出内容に対応する措置の実行を介護者に指示する管理装置とを備えた介護システムに関するものである。
【背景技術】
【０００２】
この種の介護システムとして、特開２００６−２７７０４９号公報に開示された施設内介護データ管理システム（以下、単に「システム」ともいう）が知られている。このシステムは、被介護者（要介護者）の居室に配置された居室端末および専用リモコン、介護者が待機するナースセンタに設置された管理ＰＣおよびセンタ端末、並びに介護者が携帯する入力端末などを備えて構成されている。このシステムでは、被介護者が居室に配置されている専用リモコンを操作して介護サービスを要請したときには、専用リモコンが信号を出力し、その信号を受信した居室内の居室端末がその信号をナースセンタに設置されているセンタ端末に送信する。これに応じて、ナースセンタに設置されている回転灯が作動し、介護サービスの要請があったことを介護者が認識する。次いで、介護者が要請に応じた介護サービスを実行する。また、介護者は、入力端末を操作して、実行した介護サービスの内容を入力する。この際に、入力した介護サービスの内容は、管理ＰＣに送信され、さらに管理ＰＣから施設を管理する本部の管理サーバに送信されて、管理サーバによって介護サービスを実行した時刻と共に記録される。
【先行技術文献】
【特許文献】
【０００３】
【特許文献１】特開２００６−２７７０４９号公報（第４−１２頁、第１図）
【発明の概要】
【発明が解決しようとする課題】
【０００４】
ところが、上記のシステムには、解決すべき以下の課題がある。すなわち、このシステムでは、被介護者の要請に応じて介護者が実行した介護サービスの内容を入力端末を操作して入力したときに、介護サービスを実行した時刻が介護サービスの内容と共に記録される。一方、介護施設における介護サービスの質の良否は、介護施設の評価に大きな影響を与える。特に介護者が迅速な対応を行うか否かは、介護サービスの質を大きく左右する。また、介護者が迅速な対応を行うか否かは、介護施設において人事評価を行う上でも重要な要素となる。しかしながら、従来のシステムでは、介護者が介護サービスを終了してその内容を入力端末を操作して入力するまで、介護サービスを実行した時刻（介護者が被介護者の居室を訪れた時刻）が記録されないため、介護者が迅速な対応を行ったか否か（被介護者による介護サービスの要請から介護者が被介護者の居室を訪れるまでに経過した時間）を正しく把握することが困難となっている。
【０００５】
本発明は、かかる課題に鑑みてなされたものであり、介護者が迅速な対応を行っているか否かを正確に把握し得る介護システムを提供することを主目的とする。
【課題を解決するための手段】
【０００６】
上記目的を達成すべく請求項１記載の介護システムは、介護施設の居室に居住している被介護者の姿勢の変化、当該被介護者による呼び出し、および当該居室の状態変化の少なくとも１つを検出する検出部、並びに当該検出部による検出内容を報知する報知処理を実行する処理部を有して当該居室内に配置された報知ユニットと、当該報知ユニットによって報知された前記検出内容を記録すると共に当該検出内容に対応する措置の実行を介護者に指示する管理装置とを備えた介護システムであって、前記報知ユニットは、前記介護者を識別可能な識別情報が記録された識別体における当該識別情報を読み取る読取り部を備え、前記処理部は、前記報知処理の実行状態において前記読取り部によって前記識別情報が読み取られたときに当該識別情報と当該識別情報が読み取られた時刻を示す時刻情報とを前記管理装置に送信し、前記管理装置は、前記識別情報および前記時刻情報を前記検出内容に関連付けて記録する。
【０００７】
また、請求項２記載の介護システムは、請求項１記載の介護システムにおいて、前記処理部は、前記報知処理の実行状態において前記読取り部によって前記識別情報が読み取られたときに当該報知処理を停止する。
【０００８】
また、請求項３記載の介護システムは、請求項１または２記載の介護システムにおいて、前記読取り部は前記識別体が近接したときに前記識別情報を非接触で読み取り可能に構成されている。
【発明の効果】
【０００９】
請求項１記載の介護システムでは、報知ユニットの処理部が、検出内容を報知する報知処理を実行すると共に報知処理の実行状態において読取り部によって識別情報が読み取られたときに識別情報と識別情報が読み取られた時刻を示す時刻情報とを管理装置に送信し、管理装置が、送信された識別情報および時刻情報を検出内容に関連付けて記録する。ここで、介護者が介護サービスの内容を入力端末を操作して入力するまでの間において、介護者が被介護者の居室を訪れた時刻や介護サービスを実行した時刻が記録されない従来のシステムでは、介護者が迅速な対応を行ったか否かを正しく把握することが困難である。これに対して、この介護システムによれば、識別体に記録されている識別情報を読取り部に読み取らせるだけで、識別情報および時刻情報が検出内容に関連付けられて確実かつ正確に記録される。したがって、この介護システムによれば、管理装置によって記録された識別情報および時刻情報に基づき、報知ユニットによって報知信号が出力された時刻から介護者が識別体を読取り部に近接（または、接触）させた時刻（時刻情報によって特定される時刻）までの時間を正確に特定することができ、これによって、その介護者が迅速な対応を行っているか否かを正確に把握することができる。この結果、この介護システムによれば、介護施設の評価や、介護者の人事評価を正確に行うことができる。
【００１０】
また、請求項２記載の介護システムでは、報知ユニットの処理部が、報知処理の実行状態において読取り部によって識別情報が読み取られたときに報知処理を停止する。このため、この介護システムによれば、読取り部によって識別情報を読み取らせる操作とは別の操作（例えば、スイッチ操作等）を行うことなく報知処理を停止させることができるため、操作性（利便性）を十分に向上させることができる。
【００１１】
また、請求項３記載の介護システムでは、識別体が近接したときに識別情報を非接触で読み取り可能に読取り部が構成されている。つまり、報知ユニットに対して接触することなく読取り部に識別情報を非接触で読み取らせることができる。このため、この介護システムによれば、例えば、赤外線を用いて被介護者の離床を検出するような報知ユニットに対して接触によって外力が加わることによって報知ユニットの向きが変わる事態を確実に防止することができる結果、被介護者の離床状態を常に正確に検出してその際に行うべき的確な介護を確実に実行させることができる。
【図面の簡単な説明】
【００１２】
【図１】介護システム１の構成を示す構成図である。
【図２】居室３００内の構成を示す構成図である。
【図３】離床センサーユニット１２の構成を示す構成図である。
【図４】コールユニット１３ａの構成を示す構成図である。
【図５】コールユニット１３ｂの構成を示す構成図である。
【図６】開閉センサーユニット１４ａ，１４ｂの構成を示す構成図である。
【図７】離床センサーユニット１２の外観を示す正面図である。
【発明を実施するための形態】
【００１３】
以下、介護システムの実施の形態について、添付図面を参照して説明する。
【００１４】
最初に、介護システムの一例としての介護システム１の構成について説明する。図１に示す介護システム１は、介護施設１００において用いられるシステムであって、介護施設１００に居住している被介護者Ｐ１（図２参照）に対して的確な介護サービスを提供するのに好適に構成されている。具体的には、介護システム１は、図１に示すように、管理装置１１、離床センサーユニット１２、コールユニット１３ａ，１３ｂ（以下、区別しないときには「コールユニット１３」ともいう）、開閉センサーユニット１４ａ，１４ｂ（以下、区別しないときには「開閉センサーユニット１４」ともいう）、携帯端末１５およびＩＣカード１６を備えて構成されている。この場合、この介護システム１では、離床センサーユニット１２、コールユニット１３および開閉センサーユニット１４がそれぞれ報知ユニットに相当し、以下、これらを区別しないときには「ユニット１２〜１４」ともいう。
【００１５】
この場合、介護システム１は、一例として、被介護者Ｐ１が居住する複数の居室３００と、介護スタッフ（介護者）が常駐するスタッフルーム２００とを有する介護施設１００向けに構成されており、管理装置１１を１台備えると共に、離床センサーユニット１２、コールユニット１３ａ，１３ｂおよび開閉センサーユニット１４ａ，１４ｂを居室３００の数分備え、さらに携帯端末１５およびＩＣカード１６を介護スタッフの人数分つまり複数備えて構成されている。なお、図１では、１つの居室３００分の離床センサーユニット１２、コールユニット１３ａ，１３ｂおよび開閉センサーユニット１４ａ，１４ｂのみを図示している。
【００１６】
管理装置１１は、図１に示すように、介護システム１のスタッフルーム２００に設置されている。この管理装置１１は、通信部１１ａを備えて構成され、離床センサーユニット１２、コールユニット１３、開閉センサーユニット１４および携帯端末１５との間でデータや信号の送受信を行う。また、管理装置１１は、各ユニット１２〜１４や携帯端末１５から送信されたデータや信号に基づいて各種の処理や情報の記録を実行する。具体的には、管理装置１１は、各ユニット１２〜１４によって報知された検出内容（各ユニット１２〜１４から送信される後述する報知信号によって特定される検出内容）を記録する。また、管理装置１１は、検出内容に対応する措置（介護サービス）の実行を携帯端末１５を介して介護スタッフに指示する。また、管理装置１１は、各ユニット１２〜１４から送信される後述する識別情報Ｉｄおよび時刻情報Ｉｔを検出内容に関連付けて記録する。
【００１７】
離床センサーユニット１２は、図２に示すように、居室３００内に配置されたベッド１０１の近傍の壁面に設置されて、被介護者Ｐ１が離床している状態（以下「離床状態」ともいう）を検出して、その旨を示す検出信号を管理装置１１の通信部１１ａに送信可能に構成されている。具体的には、離床センサーユニット１２は、図３に示すように、離床センサー２１（検出部の一例）、光センサー２２、表示部２３、通信部２４、カードリーダー２５および処理部２６を備えて構成されている。
【００１８】
離床センサー２１は、一例として、アクティブ型の赤外線センサーで構成されて、射出した赤外線の反射光を受光してその強度に基づいて物体の移動を検出する。この場合、離床センサーユニット１２は、ベッド１０１上において被介護者Ｐ１が仰向けで横たわっている状態では、離床センサーユニット１２が設置された壁面に対向する壁面（図２における下側の壁面）に離床センサー２１からの赤外線が照射され、ベッド１０１上に横たわっている被介護者Ｐ１が上半身を起こしたときには、離床センサー２１からの赤外線が上半身に照射されるように、その設置位置や向きが調整されている。このため、離床センサー２１は、ベッド１０１上に横たわっている被介護者Ｐ１が上半身を起こしたときには、射出した赤外線の反射光の強度の変化に基づいてその旨（離床状態：被介護者Ｐ１の姿勢の変化の一例）を検出する。
【００１９】
光センサー２２は、一例として、リニア光センサーで構成されて、照射された光（居室３００内の照明から発せられる光、居室３００の窓１０４（図２参照）から射し込む自然光、および後述する懐中電灯５０から発せられる光５１などの可視光）を検出して検出信号を処理部２６に出力する。この場合、この介護システム１では、光の照度が予め設けたしきい値を超えるときだけ検出信号を出力するように光センサー２２が調整されている。また、この介護システム１では、時間帯や周囲の照度に応じてしきい値を変化させることが可能となっている。一例として、日中は、窓１０４から射し込む自然光の照度をしきい値とし、夕刻から消灯時間までの間は、照明からの光の照度をしきい値とし、消灯時間以後翌朝までの間は、しきい値を０ルクスとするように規定されている。
【００２０】
表示部２３は、一例として、図７に示すように、４つのＬＥＤ６１ａ〜６１ｄ（発光素子の一例：以下、区別しないときには「ＬＥＤ６１」ともいう）を備えて構成され、処理部２６の制御に従って各ＬＥＤ６１の発光および発光停止を行うことによって離床センサーユニット１２の動作状態を表示する。通信部２４は、処理部２６の制御に従って離床状態を報知する報知信号を管理装置１１の通信部１１ａに送信する。
【００２１】
カードリーダー２５は、読取り部に相当し、後述するＩＣカード１６（図１，７参照）に記録されている識別情報Ｉｄを読み取り可能に構成されている。具体的には、カードリーダー２５は、センサー部分（図７に破線で示す部分）にＩＣカード１６が接触または近接したときに、ＩＣカード１６との間で通信を行い、ＩＣカード１６から送信される識別情報Ｉｄを読み取る。また、カードリーダー２５は、読み取った識別情報Ｉｄを処理部２６に出力する。
【００２２】
処理部２６は、離床センサー２１によって離床状態が検出されたときに（離床センサー２１による検出結果に基づいて）被介護者Ｐ１が離床状態である旨を報知する報知処理（具体的には、離床状態を報知する報知信号を通信部２４を介して管理装置１１の通信部１１ａに送信させる処理）を実行する。また、処理部２６は、報知処理の実行状態において、ＩＣカード１６に記録されている識別情報Ｉｄがカードリーダー２５によって読み取られたときに（カードリーダー２５から識別情報Ｉｄが出力されたときに）、その識別情報Ｉｄとその識別情報Ｉｄが読み取られた時刻を示す時刻情報Ｉｔとを通信部２４を介して管理装置１１の通信部１１ａに送信すると共に、報知処理を停止する。この場合、処理部２６は、例えば内部タイマ（リアルタイムクロック）を参照して時刻情報Ｉｔを生成する。
【００２３】
また、この介護システム１では、光センサー２２による光の検出が予め決められた規定時間（一例として、１秒）以内の間隔で２回だけ繰り返されたときに（以下、光センサー２２によって１秒以内の間隔で光が検出された回数を「検出回数」ともいう）、離床センサー２１による検出結果に拘わらず報知処理を非実行状態に維持する。
【００２４】
さらに、処理部２６は、表示部２３の各ＬＥＤ６１の発光および発光停止を制御することによって離床センサーユニット１２の動作状態を表示させる。また、処理部２６は、光センサー２２による検出回数が３回のときに、表示部２３による動作状態の表示を停止させる。つまり、処理部２６は、検出回数が３回のときには、表示部２３の各ＬＥＤ６１を発光停止状態とさせる。
【００２５】
コールユニット１３ａは、図２に示すように、ベッド１０１の頭部側（同図における上方側）のベッドパネルに設置されている。また、コールユニット１３ａは、図４に示すように、コールスイッチ３１（検出部の一例）、センサーマット３２（検出部の他の一例）、光センサー２２、表示部２３、通信部２４、カードリーダー２５および処理部２６を備えて構成されている。なお、上記した離床センサーユニット１２の構成要素と同様の構成要素については、同じ符号を付している（後述するコールユニット１３ｂおよび開閉センサーユニット１４ａ，１４ｂについても同様とする）。また、以下の説明において、離床センサーユニット１２の構成要素と同様の構成要素については、重複する説明を省略する。
【００２６】
このコールユニット１３ａでは、コールスイッチ３１が操作されたときに（被介護者Ｐ１による呼び出しの検出）、処理部２６が、コールスイッチ３１が操作された旨を報知する報知信号を通信部２４を介して管理装置１１の通信部１１ａに送信させる。また、このコールユニット１３ａでは、図２に示すように、ベッド１０１の横（同図における右側）の床面に設置されているセンサーマット３２の上に被介護者Ｐ１が乗った（ベッド１０１から降り立った）ときに、センサーマット３２が、圧力を検出し（被介護者Ｐ１の姿勢の変化の検出）、処理部２６が、センサーマット３２の検出結果に基づいて被介護者Ｐ１がベッド１０１から降り立った旨を報知する報知信号を通信部２４を介して管理装置１１の通信部１１ａに送信させる。
【００２７】
コールユニット１３ｂは、図２に示すように、トイレ１０２内の壁面に設置されている。また、コールユニット１３ｂは、図５に示すように、センサーマット３２を備えていない点を除いて、コールユニット１３ａと同様に構成されている。
【００２８】
開閉センサーユニット１４ａは、図２に示すように、入り口ドア１０３の開閉部分に設置され、開閉センサーユニット１４ｂは、同図に示すように、２つの窓１０４の重なり部分に設置されている。また、各開閉センサーユニット１４ａ，１４ｂは、図６に示すように、近接スイッチ４１（検出部の一例）、光センサー２２、表示部２３、通信部２４、カードリーダー２５および処理部２６を備えて構成されている。この開閉センサーユニット１４ａ，１４ｂでは、入り口ドア１０３や窓１０４が開放されているときに、近接スイッチ４１が入り口ドア１０３と壁部との離反状態（近接していない状態）や２つの窓１０４の重なり部分同士の離反状態を検出し（居室３００の状態変化の検出）、処理部２６が、その検出結果に基づいて入り口ドア１０３や窓１０４が開放されている旨を報知する報知信号を通信部２４を介して管理装置１１の通信部１１ａに送信させる。
【００２９】
この介護システム１では、上記のようにそれぞれ構成された各ユニット１２〜１４の処理部２６が、離床センサー２１、センサーマット３２および近接スイッチ４１による検出結果やコールスイッチ３１に対する操作の有無に基づいて報知信号を送信させる処理を実行する動作モード（以下、「報知モード」ともいう）と、検出結果や操作の有無に拘わらず報知処理を非実行状態に維持する動作モード（以下、「非報知モード」ともいう）とを切り替えて設定することが可能となっている。また、これらの２つの動作モードの切替えは、後述する懐中電灯５０を用いた操作で行うことが可能となっている。
【００３０】
携帯端末１５は、介護スタッフが携帯する端末であって、通信部１１ａを介して管理装置１１から送信される文字情報や音声情報を表示（または、音声出力）可能に構成されている。また、携帯端末１５は、他の携帯端末１５との間で音声通話を行う機能（通話機能）や、情報を入力して通信部１１ａを介して管理装置１１に送信する機能も有している。また、各携帯端末１５は、識別情報を有しており、複数の介護スタッフがそれぞれ１台の携帯端末１５を携帯するように運用することで、その携帯端末１５が有する識別情報から介護スタッフを特定することが可能となっている。
【００３１】
ＩＣカード１６は、識別体の一例であって、介護スタッフを識別可能な識別情報Ｉｄを記録可能に構成されている。また、ＩＣカード１６は、カードリーダー２５に近接（または、接触）させられたときにカードリーダー２５との間で通信を行い、カードリーダー２５に対して識別情報Ｉｄを送信する。この介護システム１では、全ての介護スタッフが１枚ずつＩＣカード１６を携帯して介護サービスを行うことを前提にして、各ＩＣカード１６に対して互いに異なる（ユニークな）識別情報Ｉｄが記録される。
【００３２】
次に、介護システム１の使用に先立って行う各ユニット１２〜１４に対する機能テスト（動作テスト）の方法、および各ユニット１２〜１４の動作モード（機能）を変更する方法について図面を参照して説明する。なお初期状態では、各ユニット１２〜１４が上記した報知モードに設定されているものとする。
【００３３】
この場合、各ユニット１２〜１４が報知モードに設定されているときには（つまり、初期状態では）、図７に示すように、処理部２６が表示部２３のＬＥＤ６１ｂを発光させている。この状態で、離床センサーユニット１２に対する機能テストを行う際には、同図に示すように、離床センサーユニット１２の光センサー２２に向けて、懐中電灯５０の光５１を照射させる。この際に、光センサー２２が正常に機能しているときには、光センサー２２が照射された光５１を検出し、処理部２６がその検出結果に基づいて表示部２３のＬＥＤ６１ｃを発光させる。このため、光センサー２２に光５１を照射したときにＬＥＤ６１ｃが発光するか否かによって光センサー２２が正常に機能しているか否かをテストすることができる。
【００３４】
次いで、離床センサー２１の前方（離床センサー２１から射出される赤外線の照射範囲）に遮蔽物（例えば、手）を位置させる。この際に、離床センサー２１が正常に機能しているときには、離床センサー２１が赤外線の反射光の強度の変化（この例では、増加）を検出する。また、処理部２６が、離床センサー２１の検出結果に基づいて表示部２３のＬＥＤ６１ｄを発光させる。続いて、遮蔽物を離床センサー２１の前方から外したときには、処理部２６は、ＬＥＤ６１ｄの発光を停止させる。また、処理部２６による報知処理が正常に機能しているときには、処理部２６は、離床センサー２１の検出結果に基づいて報知処理を実行すると共に、表示部２３のＬＥＤ６１ａを発光させる。このため、離床センサー２１の前方に遮蔽物を位置させたときにＬＥＤ６１ａ，６１ｄが発光するか否かにより、離床センサー２１が正常に機能しているか否か、および処理部２６による報知処理が正常に機能しているか否かをテストすることができる。以上で離床センサーユニット１２に対する機能テストが終了する。
【００３５】
次いで、コールユニット１３ａに対する機能テストでは、上記した光センサー２２についての機能テストに加えて、コールスイッチ３１およびセンサーマット３２についての機能テストを行う。この場合、コールスイッチ３１およびセンサーマット３２が正常に機能しているときには、コールスイッチ３１を操作したとき、およびセンサーマット３２に圧力を加えたときに、これらがその旨を検出し、処理部２６が検出結果に基づいて表示部２３のＬＥＤ６１ｄを発光させる。また、処理部２６による報知処理が正常に機能しているときには、処理部２６は、コールスイッチ３１およびセンサーマット３２の検出結果に基づいて報知処理を実行すると共に、表示部２３のＬＥＤ６１ａを発光させる。このため、コールスイッチ３１を操作したとき、およびセンサーマット３２に圧力を加えたときにＬＥＤ６１ａ，６１ｄが発光するか否かにより、コールスイッチ３１およびセンサーマット３２が正常に機能しているか否か、および処理部２６による報知処理が正常に機能しているか否かをテストすることができる。また、コールユニット１３ｂに対する機能テストでは、上記した光センサー２２についての機能テスト、およびコールスイッチ３１についての機能テストを行う。以上でコールユニット１３ａ，１３ｂに対する機能テストが終了する。
【００３６】
続いて、開閉センサーユニット１４ａ，１４ｂに対する機能テストでは、上記した光センサー２２についての機能テストに加えて、近接スイッチ４１についての機能テストを行う。この場合、近接スイッチ４１が正常に機能しているときには、入り口ドア１０３や窓１０４を開放したときに近接スイッチ４１がその旨を検出し、処理部２６が検出結果に基づいて表示部２３のＬＥＤ６１ｄを発光させる。また、処理部２６による報知処理が正常に機能しているときには、処理部２６は、近接スイッチ４１の検出結果に基づいて報知処理を実行すると共に、表示部２３のＬＥＤ６１ａを発光させる。このため、入り口ドア１０３や窓１０４を開放したときにＬＥＤ６１ａ，６１ｄが発光するか否かにより、近接スイッチ４１が正常に機能しているか否か、および処理部２６による報知処理が正常に機能しているか否かをテストすることができる。以上で開閉センサーユニット１４ａ，１４ｂに対する機能テストが終了する。
【００３７】
一方、この介護システム１では、ＩＣカード１６を用いた操作で各ユニット１２〜１４による報知処理を停止させることが可能となっている。具体的には、カードリーダー２５にＩＣカード１６を近接（または接触）させることで、報知処理を停止させることができる。また、この介護システム１では、懐中電灯５０の光５１を用いた操作で各ユニット１２〜１４の処理（報知処理を除く処理）を停止させたり動作モード（機能）を変更したりすることが可能となっている。具体的には、光センサー２２に対する光５１の照射を１秒（規定時間）以内の間隔で（インターバルが１秒以内となるように）２回だけ繰り返して行うことで（以下、このような照射を「繰り返し照射」ともいう）、各ユニット１２〜１４を上記した報知モードから非報知モードへ切り替えることができる。この場合、２回の繰り返し照射を再度行うことで、非報知モードから報知モードへ切り替えることができる。また、繰り返し照射を３回（第３の規定パターンで規定されている検出回数と同じ回数）行うことで、各ユニット１２〜１４におけるＬＥＤ６１を除く各構成要素を作動させた状態で、ＬＥＤ６１を発光停止状態とさせることができる。この場合、３回の繰り返し照射を再度行うことで、ＬＥＤ６１の発光停止状態の解除（発光可能状態への復帰）を行うことができる。
【００３８】
次に、介護システム１の使用方法について、介護システム１を構成する各部の動作と共に図面を参照して説明する。一例として、複数の居室３００と１つのスタッフルーム２００を有する介護施設１００において介護システム１を使用する場合の使用方法について説明する。
【００３９】
この介護システム１が導入されている介護施設１００では、居室３００に居住している被介護者Ｐ１がベッド１０１上において仰向けの状態から上半身を起こしたときには、離床センサーユニット１２の離床センサー２１がその旨（離床状態）を検出する。また、離床センサーユニット１２の処理部２６が、離床センサー２１による検出結果に基づいて被介護者Ｐ１が離床状態である旨を報知する報知信号を通信部２４を介して管理装置１１の通信部１１ａに送信する報知処理を実行する。また、処理部２６は、表示部２３のＬＥＤ６１ａを発光させて報知処理を実行した旨を表示させる。
【００４０】
次いで、管理装置１１が、報知信号によって特定される検出内容（この例では、被介護者Ｐ１が離床状態であるとの検出内容）を記録する。また、管理装置１１は、送信された報知信号に基づき、被介護者Ｐ１が離床状態である旨を示す情報を居室３００の位置を示す情報（例えば、居室３００の番号）と共に通信部１１ａを介して各携帯端末１５に送信する。
【００４１】
この場合、その居室３００の被介護者Ｐ１が寝たきりであったり、徘徊癖があったりするときには、送信された情報を確認した介護スタッフが該当する居室３００に向かい、必要な措置を講じる。また、該当する居室３００に到着した介護スタッフは、離床センサーユニット１２のカードリーダー２５にＩＣカード１６を近接（または、接触）させる。この際に、カードリーダー２５がＩＣカード１６との間で通信を行い、ＩＣカード１６から送信される識別情報Ｉｄを読み取る。また、カードリーダー２５は、読み取った識別情報Ｉｄを処理部２６に出力する。次いで、処理部２６が、出力された識別情報Ｉｄとその識別情報Ｉｄが読み取られた時刻（カードリーダー２５から識別情報Ｉｄが出力された時刻）を示す時刻情報Ｉｔとを通信部２４を介して管理装置１１の通信部１１ａに送信し、管理装置１１が、送信された識別情報Ｉｄおよび時刻情報Ｉｔを上記の検出内容に関連付けて記録する。また、処理部２６は、報知処理を停止する。
【００４２】
ここで、この介護システム１では、上記したように、カードリーダー２５にＩＣカード１６を近接または接触させてＩＣカード１６に記録されている識別情報Ｉｄをカードリーダー２５に読み取らせるだけで、識別情報Ｉｄおよび時刻情報Ｉｔが検出内容に関連付けられて確実かつ正確に管理装置１１によって記録される。したがって、この介護システム１では、管理装置１１に記録されている識別情報Ｉｄおよび時刻情報Ｉｔに基づき、ユニット１２〜１４によって報知信号が出力された時刻から介護者がＩＣカード１６をカードリーダー２５に近接（または、接触）させた時刻（時刻情報Ｉｔによって特定される時刻）までの時間を正確に特定することができ、これによって、介護者が迅速な対応を行っているか否かを正確に把握することが可能となっている。
【００４３】
なお、寝たきりや徘徊癖がある被介護者Ｐ１に該当しない被介護者Ｐ１（離床状態であることが通常の行動の範疇である被介護者Ｐ１）が居住している居室３００については、その居室３００に設置されている離床センサーユニット１２を非報知モードに予め設定することができる。この場合、上記したように、繰り返し照射を２回行うことで、このような設定を容易に行うことができる。また、このような居室３００については、報知信号が送信されたとしても携帯端末１５に情報を送信しないように管理装置１１を設定することもできる。
【００４４】
一方、被介護者Ｐ１が介護サービスの提供を希望するときや、緊急の事態が発生したときには、コールユニット１３ａ，１３ｂのいずれかのコールスイッチを操作する。この際には、操作がされたコールユニット１３が、コールスイッチが操作された旨を報知する報知信号を通信部２４を介して管理装置１１の通信部１１ａに送信させ、管理装置１１が、報知信号によって特定される検出内容（この例では、コールスイッチが操作されたとの検出内容）を記録する。また、管理装置１１は、報知信号に基づき、被介護者Ｐ１からコールがあった旨を示す情報を居室３００の位置を示す情報と共に通信部１１ａを介して各携帯端末１５に送信する。
【００４５】
続いて、送信された情報を携帯端末１５を介して確認した介護スタッフが該当する居室３００に到着したときには、上記したようにＩＣカード１６をカードリーダー２５に近接（または、接触）させて、識別情報Ｉｄを読み取らせると共に報知処理を停止させる。この際に、処理部２６が識別情報Ｉｄおよび時刻情報Ｉｔを通信部２４を介して管理装置１１の通信部１１ａに送信させ、管理装置１１が、送信された識別情報Ｉｄおよび時刻情報Ｉｔを検出内容に関連付けて記録する。また、居室３００に到着した介護スタッフは、被介護者Ｐ１の様子を確認する。この場合、緊急性が高いときには、適切な措置を講じると共に、必要に応じて携帯端末１５を用いて応援を要請する。一方、緊急性が低いときには、要望を聞き、それに応じた介護サービスを提供（実行）する。
【００４６】
また、入り口ドア１０３や窓１０４が開放されたときには、開閉センサーユニット１４が、その旨を報知する報知信号を通信部２４を介して管理装置１１の通信部１１ａに送信させ、管理装置１１が、報知信号によって特定される検出内容（この例では、入り口ドア１０３や窓１０４が開放されているとの検出内容）を記録する。また、管理装置１１は、報知信号に基づき、入り口ドア１０３や窓１０４が開放されている旨を示す情報を居室３００および入り口ドア１０３や窓１０４の位置を示す情報と共に通信部１１ａを介して各携帯端末１５に送信する。
【００４７】
この場合、入り口ドア１０３や窓１０４の開閉を規制する必要があるとき（居室３００への関係者以外の者の入室や、居室３００からの被介護者Ｐ１の退室を制限する必要があるとき）には、送信された情報を携帯端末１５を介して確認した介護スタッフが、該当する居室３００に向かい必要な措置を講じる。また、該当する居室３００に到着した介護スタッフは、上記したようにＩＣカード１６をカードリーダー２５に近接（または、接触）させて、識別情報Ｉｄを読み取らせると共に報知処理を停止させる。この際に、処理部２６が識別情報Ｉｄおよび時刻情報Ｉｔを通信部２４を介して管理装置１１の通信部１１ａに送信させ、管理装置１１が、送信された識別情報Ｉｄおよび時刻情報Ｉｔを検出内容に関連付けて記録する。なお、各開閉センサーユニット１４からの報知信号の送信に対する対応が不要な居室３００（入室や退室が制限されていない居室３００）については、その居室３００に設置されている各開閉センサーユニット１４を非報知モードに予め設定したり、報知信号が送信されても携帯端末１５に情報を送信しないように管理装置１１を設定したりすることもできる。
【００４８】
一方、各ユニット１２〜１４のＬＥＤ６１の発光（点滅）を嫌う被介護者Ｐ１が、ＬＥＤ６１の発光停止（消灯）を要望することがある。このような被介護者Ｐ１が居住する居室３００については、上記した懐中電灯５０の光５１を用いた繰り返し照射を３回行うことで、各ユニット１２〜１４におけるＬＥＤ６１を除く各構成要素を作動させた状態で、ＬＥＤ６１を発光停止状態とさせることができる。このため、各ユニット１２〜１４による報知処理の機能を継続させつつ被介護者Ｐ１の要望を満足させることが可能となっている。
【００４９】
このように、この介護システム１では、各ユニット１２〜１４の処理部２６が検出内容を報知する報知処理を実行すると共に報知処理の実行状態においてカードリーダー２５によって識別情報Ｉｄが読み取られたときに識別情報Ｉｄと時刻情報Ｉｔとを管理装置１１に送信し、管理装置１１が送信された識別情報Ｉｄおよび時刻情報Ｉｔを検出内容に関連付けて記録する。ここで、介護スタッフが介護サービスの内容を入力端末を操作して入力するまでの間において、介護スタッフが被介護者Ｐ１の居室を訪れた時刻や介護サービスを実行した時刻が記録されない従来のシステムでは、介護スタッフが迅速な対応を行ったか否かを正しく把握することが困難である。これに対して、この介護システム１によれば、ＩＣカード１６に記録されている識別情報Ｉｄをカードリーダー２５に読み取らせるだけで、識別情報Ｉｄおよび時刻情報Ｉｔが検出内容に関連付けられて確実かつ正確に記録される。したがって、この介護システム１によれば、管理装置１１によって記録された識別情報Ｉｄおよび時刻情報Ｉｔに基づき、ユニット１２〜１４によって報知信号が出力された時刻から介護者がＩＣカード１６をカードリーダー２５に近接（または、接触）させた時刻（時刻情報Ｉｔによって特定される時刻）までの時間を正確に特定することができ、これによって、その介護者が迅速な対応を行っているか否かを正確に把握することができる。この結果、この介護システム１によれば、介護施設１００の評価や、介護スタッフの人事評価を正確に行うことができる。
【００５０】
また、この介護システム１では、処理部２６が、報知処理の実行状態においてカードリーダー２５によって識別情報Ｉｄが読み取られたときに報知処理を停止する。このため、この介護システム１によれば、カードリーダー２５によって識別情報Ｉｄを読み取らせる操作とは別の操作（例えば、スイッチ操作等）を行うことなく報知処理を停止させることができるため、操作性（利便性）を十分に向上させることができる。
【００５１】
また、この介護システム１では、ＩＣカード１６が近接したときに識別情報Ｉｄを非接触で読み取り可能にカードリーダー２５が構成されている。つまり、各ユニット１２〜１４に対して接触することなくカードリーダー２５に識別情報Ｉｄを非接触で読み取らせることができる。このため、この介護システム１によれば、赤外線を用いて被介護者Ｐ１の離床を検出するような報知ユニット（上記の例では、離床センサー２１を有する離床センサーユニット１２）に対して接触によって外力が加わることによって報知ユニット（離床センサー２１）の向きが変わる事態を確実に防止することができる結果、被介護者Ｐ１の離床状態を常に正確に検出してその際に行うべき的確な介護を確実に実行させることができる。
【００５２】
なお、介護システム１の構成は、上記の構成に限定されず、適宜変更することができる。例えば、カードリーダー２５によって識別情報Ｉｄが読み取られたときに報知処理を停止する構成例について上記したが、カードリーダー２５に識別情報Ｉｄを読み取らせる操作とは別の操作で報知処理を停止させる構成を採用することもできる。例えば、上記した懐中電灯５０の光５１を用いて報知処理を停止させることもできる。具体的には、光センサー２２による検出回数が予め決められた回数（上記した２回および３回以外の回数であって例えば、４回）のときに処理部２６が報知処理を停止させる構成を採用することができる。また、報知処理を停止させるためのスイッチを設けて、そのスイッチの操作によって報知処理を停止させる構成を採用することもできる。
【００５３】
また、携帯端末１５を識別体として機能させる構成を採用することもできる。具体的には、識別情報Ｉｄを携帯端末１５に記録すると共に、カードリーダー２５に携帯端末１５を近接（または、接触）させたときにカードリーダー２５との間で通信を行ってカードリーダー２５に対して識別情報Ｉｄを送信可能に携帯端末１５を構成することで、携帯端末１５をＩＣカード１６と同様に機能させることができる。この場合、ＩＣカード１６に代えて、携帯端末１５だけを用いて識別情報Ｉｄの送信や報知処理の停止を行う構成を採用することもできる。また、ＩＣカード１６および携帯端末１５をの双方を識別体として用いて識別情報Ｉｄの送信や報知処理の停止を行う構成、つまり、介護スタッフがＩＣカード１６および携帯端末１５の双方を携帯して、どちらを用いても識別情報Ｉｄの送信や報知処理の停止を行うことができる構成を採用することもできる。
【００５４】
また、懐中電灯５０の光５１を用いた操作を行わない構成を採用することもでき、この場合には、光センサー２２に代えて、報知モードと非報知モードとの切り替えやＬＥＤ６１の発光可能状態と発光停止状態との切り替えを行うスイッチを設けて、これらのスイッチを用いてこれらの切り替えを行う構成を採用することもできる。
【００５５】
また、２つのコールユニット１３ａ，１３ｂおよび２つの開閉センサーユニット１４ａ，１４ｂを備えた構成例について上記したが、これらの各ユニットの数や設置位置は任意に変更することができる。
【符号の説明】
【００５６】
１  介護システム
１１  管理装置
１２  離床センサーユニット
１３ａ，１３ｂ  コールユニット
１４ａ，１４ｂ  開閉センサーユニット
１６  ＩＣカード
２１  離床センサー
２５  カードリーダー
２６  処理部
３１  コールスイッチ
３２  センサーマット
４１  近接スイッチ
１００  介護施設
３００  居室
Ｉｄ  識別情報
Ｉｔ  時刻情報
Ｐ１  被介護者
【図１】
2014119844.tif 000003
【図２】
2014119844.tif 000004
【図３】
2014119844.tif 000005
【図４】
2014119844.tif 000006
【図５】
2014119844.tif 000007
【図６】
2014119844.tif 000008
【図７】
2014119844.tif 000009